(57)【要約】【課題】ＡＦ測距用の補助光や赤目軽減光の発光後でも、撮影時の本発光の光量が低下せず、かつＡＦ測距に要する時間を短くすることができ、また、メインコンデンサを使用せずに、電池から直接発光することのできるカメラのためのストロボ装置を提供する。【解決手段】ストロボ光を発光する放電管１２と、メインコンデンサ１７に蓄えられたエネルギにより上記放電管１２を発光させる第１の発光手段と、上記放電管を上記メインコンデンサを用いずに電池１００のみにより発光させる第２の発光手段と、撮影時に上記放電管１２を発光させる際には、上記第１の発光手段を用いて行わせ、撮影前に上記放電管１２を発光させる際には、上記第２の発光手段を用いて行わせるように制御する制御手段１３０とを有する。【選択図】　図５
2004045863.tif 000002
【特許請求の範囲】
【請求項１】
被写体を照射するためのストロボ光を発光する放電管と、
メインコンデンサに蓄えられたエネルギにより上記放電管を発光させる第１の発光手段と、
上記メインコンデンサを用いずに電池のみにより上記放電管を発光させる第２の発光手段と、
撮影時に上記放電管を発光させるときは、上記第１の発光手段を用いて行わせ、撮影前に上記放電管を発光させるときは、上記第２の発光手段を用いて行わせるように制御する制御手段と、
を有したことを特徴とするカメラのためのストロボ装置。
【請求項２】
上記第２の発光手段は、上記放電管の発光を赤目現象軽減のために制御されることを特徴とする請求項１記載のカメラのためのストロボ装置。
【請求項３】
上記第２の発光手段は、上記放電管の発光をオートフォーカスの補助光として用いるために制御されることを特徴とする請求項１記載のカメラのためのストロボ装置。
【請求項４】
オートフォーカス機能を有するカメラにおいて、
被写体を照射するためのストロボ光を発光する放電管と、
上記放電管を発光させる第１の発光手段と、
上記放電管を発光させる第２の発光手段と、
を有し、
露光時には、上記第１の発光手段にて発光を行い、被写体が低輝度時には露光前に、上記第２の発光手段にて被写体を照射することを特徴とするカメラ。
【請求項５】
上記第１の発光手段は、コンデンサに蓄積されたエネルギを供給して発光させる手段であり、また、上記第２の発光手段は、発振トランスの周期に連動して発光させる手段であることを特徴とする請求項４に記載のカメラ。
【請求項６】
上記第２の発光手段による発光時間は、距離測定不能時には、徐々に増加させることを特徴とする請求項４に記載のカメラ。
【請求項７】
カメラ用ストロボ装置において、
被写体を照射するためのストロボ光を発光する放電管と、
上記放電管を発光させる第１の発光手段と、
上記放電管を発光させる第２の発光手段と、
を有し、
露光時には、上記第１の発光手段にて発光を行い、露光に先立ち所定の発光を行う場合には、上記第２の発光手段にて発光を行うことを特徴とするカメラのためのストロボ装置。
【請求項８】
上記第１の発光手段は、発光用メインコンデンサに蓄積されたエネルギを放電管に供給して発光させる手段であり、上記第２の発光手段は、発振トランスから直接電流を放電管に供給し発光させる手段であることを特徴とする請求項７に記載のカメラのためのストロボ装置。
【請求項９】
露光に先立ち行われる所定の発光は、赤目現象軽減のための事前発光であることを特徴とする請求項７に記載のカメラのためのストロボ装置。
【請求項１０】
赤目現象軽減機能を有するカメラにおいて、
被写体を照射するためのストロボ光を発光する放電管と、
上記放電管を発光させる第１の発光手段と、
上記放電管を発光させる第２の発光手段と、
を有し、
露光時には、上記第１の発光手段にて発光を行い、赤目現象軽減選択時には、上記第２の発光手段にて発光を行った後、上記第１の発光手段にて露光を行うことを特徴とするカメラ。
【発明の詳細な説明】
【０００１】
【発明の属する技術分野】
本発明は、カメラのためのストロボ装置、詳しくは、ＡＦ（オートフォーカス）測距用の補助光発光機能や、赤目現象軽減用の発光機能を有するカメラのためのストロボ装置に関する。
【０００２】
【従来の技術】
周知のように、ＡＦ測距機能を有するＡＦカメラにおいては、被写体が暗い場合は、測距が不可能となるため、カメラ側からＡＦ測距用の補助光を被写体に向けて照射し、被写体からの反射光を測距することにより、暗くてもＡＦ機能が働くようになっている。
【０００３】
一方、撮影に先立って、低輝度光をストロボ装置から被写体に向けて照射することにより人間や動物等の被写体の眼の瞳孔を閉じ（縮瞳）させる、所謂、赤目現象軽減用（以下、赤目軽減用という）発光機能を持ったカメラが一般的に知られている。
【０００４】
【発明が解決しようとする課題】
ところで、ＡＦ測距用の補助光や赤目軽減光の発光は、少量の発光であるにも関わらず、ストロボ装置のメインコンデンサに蓄積されたエネルギを用いて行っている。よって、ストロボ装置では、ＡＦ測距用の補助光や赤目軽減光を発光した後、本撮影時の本発光を行うと、メインコンデンサの蓄積エネルギが減少しているため、ストロボ光量が低下してしまう虞がある。
【０００５】
このストロボ光量の低下を防止するため、ＡＦ測距用の補助光や赤目軽減光の発光後、発光に要したエネルギを再充電することも実用化されているが、充電に時間を要してしまうため、ＡＦ測距に要する時間が長くなってしまい撮影までのトータル時間が延びてシャッタチャンスを逸してしまうといった問題があった。
【０００６】
また、ＡＦ測距用の補助光や赤目軽減光にストロボ装置以外のランプ等を用いて行うものも知られているが、ランプをカメラ筐体内に配設する際、ストロボ装置とは別の専用スペースが必要となるため、カメラ本体の大型化、及びコストアップにつながってしまう虞があった。
【０００７】
本発明の目的は、上記問題点に鑑みてなされたものであり、ＡＦ測距用の補助光や赤目軽減用光の発光後でも、本発光の光量が低下せず、かつＡＦ測距に要する時間を短くすることができるカメラのためのストロボ装置を提供するにある。
【０００８】
【課題を解決するための手段、及び作用】
上記の目的を達成するために、本発明によるカメラのためのストロボ装置は、被写体を照射するためのストロボ光を発光する放電管と、メインコンデンサに蓄えられたエネルギにより上記放電管を発光させる第１の発光手段と、上記メインコンデンサを用いずに電池のみにより上記放電管を発光させる第２の発光手段と、撮影のときに上記放電管を発光させるときは、上記第１の発光手段を用いて行わせ、撮影前に上記放電管を発光させるときは、上記第２の発光手段を用いて行わせるように制御する制御手段とを有したことを特徴とし、また、上記第２の発光手段は、上記放電管の発光を赤目現象軽減のために制御されることを特徴とし、さらに、上記第２の発光手段は、上記放電管の発光をオートフォーカスの補助光として用いるために制御されることを特徴とする。
【０００９】
また、本発明によるカメラは、オートフォーカス機能を有するカメラにおいて、被写体を照射するためのストロボ光を発光する放電管と、上記放電管を発光させる第１の発光手段と、上記放電管を発光させる第２の発光手段とを有し、露光時には、上記第１の発光手段にて発光を行い、被写体が低輝度時には露光前に、上記第２の発光手段にて被写体を照射することを特徴とし、また、上記第１の発光手段は、コンデンサに蓄積されたエネルギを供給して発光させる手段であり、また、上記第２の発光手段は、発振トランスの周期に連動して発光させる手段であることを特徴とし、さらに、上記第２の発光手段による発光時間は、距離測定不能時には、徐々に増加させることを特徴とする。
【００１０】
また、本発明によるカメラのためのストロボ装置は、カメラ用ストロボ装置において、被写体を照射するためのストロボ光を発光する放電管と、上記放電管を発光させる第１の発光手段と、上記放電管を発光させる第２の発光手段とを有し、露光時には、上記第１の発光手段にて発光を行い、露光に先立ち所定の発光を行う場合には、上記第２の発光手段にて発光を行うことを特徴とし、また、上記第１の発光手段は、発光用メインコンデンサに蓄積されたエネルギを放電管に供給して発光させる手段であり、上記第２の発光手段は、発振トランスから直接電流を放電管に供給し発光させる手段であることを特徴とし、さらに、露光に先立ち行われる所定の発光は、赤目現象軽減のための事前発光であることを特徴とする。
【００１１】
さらに、本発明によるカメラは、赤目現象軽減機能を有するカメラにおいて、被写体を照射するためのストロボ光を発光する放電管と、上記放電管を発光させる第１の発光手段と、上記放電管を発光させる第２の発光手段とを有し、露光時には、上記第１の発光手段にて発光を行い、赤目現象軽減選択時には、上記第２の発光手段にて発光を行った後、上記第１の発光手段にて露光を行うことを特徴とする。
【００１２】
【発明の実施の形態】
以下、図面を参照して本発明の実施の形態を説明する。
図１は、本発明の第１実施の形態を示すストロボ装置を有するカメラを右斜め上方から見た外観斜視図であり、図２は、図１のＩＩ−ＩＩ´線に沿う断面図であり、図３は、図１の内部構成の概略を示した透視斜視図である。
【００１３】
図１に示すように、カメラ本体をなす外装筐体１の前面中央部には、被写体を撮像するための撮影光学系を有するレンズ鏡筒８が配設されており、この上方には、被写体を光学的に観察するためのファインダ窓４が配設されており、さらに、前記レンズ鏡筒８の右斜め上方には、被写体にストロボ光を照射するためのストロボ発光窓３が配設されている。
【００１４】
また、前記カメラ外装筐体１の上面左側には、撮影を開始させるためのレリーズ釦５が配設されており、さらに、前記カメラ外装筐体１の背面左側上部には、撮影者が撮影時、前記レンズ鏡筒８を駆動させ被写体を任意の撮影倍率に設定するためのズーム釦６が配設されている。
【００１５】
尚、本第１実施の形態では、上記カメラ外装筐体１の長手方向の長さを“ｌ”と規定する。
【００１６】
図２に示すように、カメラ外装筐体１の内部には、中央部に前記レンズ鏡筒８が光軸方向０に移動自在に配設されており、この左方には、フィルムパトローネ室９が配設されており、また、この前記レンズ鏡筒８の右方にはフィルム巻取り用スプール室７が配設されており、さらに、この前記レンズ鏡筒８の背面にはフォーカルプレーンシャッタ１０が配設されている。また、前記フィルムパトローネ室９の左方には、ストロボ用メインコンデンサ１７が配設されている。
【００１７】
さらに、図３に示すように、前記レンズ鏡筒８の上方には、ファインダ窓４を含むファインダ光学系４ａが配設されており、また、このファインダ光学系４ａの右方であって、前記カメラ外装筐体１の前面右側上部の位置には、前記ストロボ発光窓３を含むストロボ発光部３ａが配設されており、さらに、このストロボ発光部３ａの背面には、カメラの駆動装置全体に電源を供給する電池１１が配設されている。
【００１８】
前記ストロボ発光部３ａは、図４に示すように反射傘１５と、発光放電管（以下、Ｘｅ管と称す）１２と、同Ｘｅ管の電極端子１３と、同Ｘｅ管１２の外壁で形成されるトリガ電極とから構成されており、上記反射傘１５は、上記Ｘｅ管１２から放射された光を予め定められた照射範囲に向けて反射させるためのものであり、また上記Ｘｅ管１２は、後述する制御回路１３０（図５参照）からの制御信号により発光を開始するものである。尚、本第１実施の形態では、上記Ｘｅ管の長手方向の長さを“ｍ”と規定する。
【００１９】
図５は、上記ストロボ装置の発光回路を示した電気回路図、図６は、図５に示した発光回路のメインコンデンサへの充電動作の各部の出力を示したタイミングチャート、図７は、図５に示した発光回路を用いてＡＦ測距用の補助光を発光する場合の発光動作を説明したフローチャート、図８は、図７の発光動作の各部の出力を示したタイミングチャート、図９は、図５に示した発光回路を用いて赤目軽減用光を発光する場合の発光動作を説明したフローチャート、図１０は、図９の発光動作の各部の出力を示したタイミングチャートであり、図１１は、図５に示した発光回路の撮影時の本発光動作の各部出力を示したタイミングチャートである。
【００２０】
図５に示すように、この第１実施形態におけるストロボ装置の発光回路は、電源電池１００と、出力端子１４０、１５０、１６０、１７０を有する制御回路１３０と、充電用スイッチング素子２００、２３０と、第１の１次巻線２４１、第２の１次巻線２４２、２次巻線２４３で構成される発振トランス２４０と、ブリッジダイオード２５０と、発光切替用リレースイッチ２６０と、抵抗１１０と、発光用スイッチング素子１２０と、トリガコンデンサ２９０と、１次巻線２８１、２次巻線２８２で構成されるトリガコイル２８０と、ストロボ用メインコンデンサ１７と、表面に透明電極（トリガ電極）３０１が塗布されているＸｅ管１２で構成されている。
【００２１】
前記電源電池１００には、上記発振トランス２４０の上記第１の１次巻線２４１と上記充電用スイッチング素子２００の直列接続回路と、上記発振トランス２４０の上記第２の１次巻線２４２と上記充電用スイッチング素子２３０の直列接続回路が並列に接続されている。
【００２２】
また、前記充電用スイッチング素子２００のゲート端子は、前記制御回路１３０の上記出力端子１５０に接続されており、さらに、前記充電用スイッチング素子２３０のゲート端子は、前記制御回路１３０の上記出力端子１４０に接続されており、また、前記発振トランス２４０の前記２次巻線２４３の両端は、上記ブリッジダイオード２５０の入力端に接続されている。
【００２３】
上記ブリッジダイオード２５０の出力端には、前記発光切替用リレースイッチ２６０と前記ストロボ用メインコンデンサ１７の直列接続回路と、前記Ｘｅ管１２と前記発光用スイッチング素子１２０の直列接続回路と、前記抵抗１１０と前記トリガコンデンサ２９０と前記トリガコイル２８０の１次巻線２８１の直列回路が並列に接続されている。
【００２４】
また、上記発光切替用リレースイッチ２６０の制御端子は、前記制御回路１３０の出力端子１６０に接続され、また、前記発光用スイッチング素子１２０のゲート端子は、前記制御回路１３０の出力端子１７０に接続され、さらに、前記Ｘｅ管１２と前記発光用スイッチング素子１２０の接続点には、前記抵抗１１０と前記トリガコンデンサ２９０の接続点が接続されている。
【００２５】
次に上述したように構成されたストロボ発光回路のメインコンデンサへの充電動作を、図５と図６のタイムチャートを用いて説明する。
初期状態において、前記制御回路１３０の上記出力端子１６０より、オン信号“Ｈ”が出力されると（図６−ｂ参照）、前記発光切替用リレースイッチ２６０は閉じ、前記メインコンデンサ１７への充電が可能となる。
【００２６】
次に、前記制御回路１３０の上記出力端子１５０より、オン信号“Ｈ”が出力されると（図６−ｃ参照）、前記電源電池１００より上記発振トランス２４０の第１の１次巻線２４１、前記充電用スイッチング素子２００に電流が流れる。
【００２７】
前記第１の１次巻線２４１に電流が流れると、１次巻線に電気エネルギが発生し、この電気エネルギは電磁誘導作用により、上記発振トランス２４０の２次巻線２４３に伝達され、この２次巻線２４３で磁気エネルギは電気エネルギに変換され、２次巻線２４３には電流が流れる。この電流は前記ブリッジダイオード２５０により直流化されて前記メインコンデンサ１７と上記トリガコンデンサ２９０に電荷として蓄積される。
【００２８】
前記第１の１次巻線２４１によって作り出されたエネルギの放出が終了する時、前記制御回路１３０の出力端子１５０からのオン信号をオフさせ（図６−ｃ参照）、同時に前記制御回路１３０の出力端子１４０からオン信号を出力する（図６−ｄ参照）。
【００２９】
上記出力端子１４０より、オン信号“Ｈ”が出力されると、前記電池１００より上記発振トランス２４０の第２の１次巻線２４２、前記充電用スイッチング素子２３０に電流が流れる。
【００３０】
前記第２の１次巻線２４２に電流が流れると、１次巻線に電気エネルギが発生し、この電気エネルギは電磁誘導作用によって上記発振トランス２４０の２次巻線２４３に伝達され、この２次巻線２４３で磁気エネルギは電気エネルギに変換され、２次巻線２４３に電流が流れ、この電流は前記ブリッジダイオード２５０を介して前記メインコンデンサ１７と上記トリガコンデンサ２９０に電荷を蓄積する。
【００３１】
このように、上記制御回路１３０の上記出力端子１５０、１４０を交互にオンオフさせることにより（図６−ｃ、ｄ参照）、上記充電用スイッチング素子２００、２３０が交互にオンオフし、前記メインコンデンサ１７と上記トリガコンデンサ２９０には電荷が蓄積されて充電される。そして、前記メインコンデンサ１７の充電電圧（Ｖ）が所定電圧（Ｖａ）に達したところで（図６−ｅ参照）前記制御回路１３０からの出力を停止する。その後、前記制御回路１３０の出力端子１６０よりオフ信号“Ｌ”を出力し（図６−ｂ参照）、上記発光切替用リレースイッチ２６０を開放させ、充電動作を終了させる。なお、前記制御回路１３０の出力端子１７０は、充電期間中はオフにさせたままである（図６−ａ参照）。
【００３２】
次に、本発明の上記ストロボ発光回路を用いて行うＡＦ測距用の補助光の発光動作を図５、図７、図８を用いて詳細に説明する。
図６で説明した充電の完了後、図７に示すように、ステップＳ１で前記図１のレリーズ釦５の押動操作により１ｓｔレリーズスイッチがオンされると（図８−ａ参照）、ステップＳ２では、測光、測距動作を行い、ステップＳ３に移行する。
【００３３】
ステップＳ３では、前記ステップＳ２での測光、測距結果に基づいて被写体が低輝度であるか否かを判定する。低輝度である場合は、ステップＳ４に移行し、低輝度でなければＡＦ測距用補助光を発光する必要がないため、ステップＳ１４にジャンプし、リターンする。
【００３４】
前記ステップＳ３で被写体が“低輝度である”と判定された場合には、ステップＳ４で、前記制御回路１３０の出力端子１６０がオフのまま（図８−ｂ参照）出力端子１７０よりオン信号が出力され（図８−ｅ参照）、このオン信号を受けて前記発光用スイッチング素子１２０がオンし、ステップＳ５に移行する。この発光用スイッチング素子１２０がオンされると前記トリガコンデンサ２９０に蓄積されていた電荷が、発光用スイッチング素子１２０、前記トリガコイル２８０の１次巻線２８１を流れる。
【００３５】
前記トリガコイル２８０の１次巻線２８１に電流が流れると、電磁誘導作用により、２次巻線２８２に電流が誘起される。この２次巻線２８２は、上記Ｘｅ管１２の外壁３０１のトリガ電極に接続されており、前記Ｘｅ管１２は、非常に高い抵抗値となっているため、前記トリガコイル２８０の２次巻線２８２に誘起されたエネルギは電圧に変換され、前記Ｘｅ管１２の外壁３０１のトリガ電極には高電圧が印加される。前記Ｘｅ管１２のトリガ電極に高電圧が印加されると、Ｘｅ管内部のキセノンガスが励起され、絶縁抵抗が小さくなる。
【００３６】
また、上記ステップＳ４に続くステップＳ５では、発光回数が設定（初回は２回に設定）され、ステップＳ６に移行して測距動作が開始される。この測距動作は、続くステップＳ７で前記制御回路１３０の出力端子１５０から、オン信号が出力（図８−ｃ参照）されることにより、上述したように前記発振トランス２４０の第１の１次巻線２４１にエネルギが発生し、２次巻線２４３にエネルギが伝達され、前記ブリッジダイオード２５０を介して前記Ｘｅ管１２に電流Ｉｘｅ（図８−ｇ参照）が流れる。このＸｅ管１２に電流が流れると、前記Ｘｅ管１２は１回目の複数回の発光を行う。
【００３７】
ここで、前記発振トランス２４０の第１の１次巻線２４１で発生するエネルギは小さいため、前記Ｘｅ管１２の発光している時間は短い（図８−ｃ、ｇ参照）。
【００３８】
そこで、続くステップＳ８で前記制御回路１３０の出力端子１５０をオフさせると同時に、前記出力端子１４０よりオン信号を出力し（図８−ｃ、ｄ参照）、前記発振トランス２４０の第２の１次巻線２４２でエネルギを発生させ、前記２次巻線２４３にエネルギを伝達させる。前記ブリッジダイオード２５０を介して前記Ｘｅ管１２に電流Ｉｘｅが流れる（図８−ｇ参照）。このＸｅ管１２に電流が流れると、前記Ｘｅ管１２は２回目の複数回の発光を行う。
【００３９】
このようにして前記ステップＳ５で設定した測距のための２回の発光を行い、ＡＦ測距を実行し（図８−ｆ参照）、ステップＳ９に移行する。尚、このとき発光される２回の発光量をｎ１と規定する。
【００４０】
ステップＳ９では、前記ステップＳ５で設定した発光回数に達したか否かを判定する。達していなければ、ステップＳ７に戻り、達しておれば、ステップＳ１０に移行して、前記制御回路の出力端子１５０、１４０を共にオフさせ、測距動作を停止し、さらに、前記発光用スイッチング素子１２０をオフして、発光を停止させる（図８−ｃ、ｄ、ｅ、ｆ、ｇ参照）。そして、ステップＳ１１に移行して、測距のための演算を行い、その後、ステップＳ１２に移行する。
【００４１】
ステップＳ１２では、前記ステップＳ５で設定した発光回数で測距が完了したか否かを判定する。前記ステップＳ５で初期設定した２回の発光で測距が完了しておれば、ステップＳ１４に移行してリターンし、２回の発光では、測距が完了しなかったときには、ステップＳ１３に分岐して、発光回数を、例えば４回に増加させ、ステップＳ６に戻り、再度測距動作を行う。
【００４２】
このように、上記制御回路１３０の出力端子１５０、１４０を４回、６回、８回・・・と測距が完了するまで交互にオンオフさせることにより、上記発振トランス２４０の第１の１次巻線２４１、第２の１次巻線２４２は交互にエネルギの発生を繰り返すことで（図８−ｃ、ｄ参照）、前記放電管１２に、増加した回数だけ電流Ｉｘｅを流し（図８−ｇ参照）、発光させる動作をステップＳ６〜ステップＳ１２で繰り返す。そして、前記ステップＳ１２で、増加した発光回数で測距が完了したことを判断したならば、ステップＳ１４に移行してリターンする。尚、出力端子１６０は、この測距用補助光の発光動作の間はオフさせたままである（図８−ｂ参照）。
【００４３】
次に、上記ストロボ発光回路を用いて赤目軽減用のプリ発光動作を図５、図９、図１０を用いて詳細に説明する。
図６で説明した充電の完了後、図９に示すように、ステップＳ２０で前記出力端子１６０をオフにして（図１０−ａ参照）、発光切替用リレースイッチ２６０をオフにする。そして、ステップＳ２１に進み、この発光が赤目軽減用のプリ発光であるか否かを判定する。
【００４４】
ステップＳ２１で赤目軽減用のプリ発光でないと判定されれば、ステップＳ２２に移行して、上記図７、図８で説明した測距のためのＡＦ補助光発光の発光時間読み込みを行ってステップＳ２４に移行する。赤目軽減用のプリ発光であれば、ステップＳ２３に分岐して、発光時間を０〜１秒に設定してステップＳ２４に移行する。
【００４５】
ステップＳ２４では、前記ステップＳ２２、または、上記ステップＳ２３で設定した発光時間、前記制御回路１３０の上記出力端子１５０がオンするように設定し、ステップＳ２５に移行し、ステップＳ２５では、同様に、前記ステップＳ２２、または、上記ステップＳ２３で設定した発光時間、前記制御回路１３０の上記出力端子１４０がオンするように設定してステップＳ２６に移行する。
【００４６】
ステップＳ２６では、前記制御回路１３０の出力端子１６０がオフのまま（図１０−ａ参照）、出力端子１７０よりオン信号が出力する（図１０−ｄ参照）。このオン信号を受けて前記発光用スイッチング素子１２０がオンし、前記トリガコンデンサ２９０に蓄積されていた電荷が、発光用スイッチング素子１２０、前記トリガコイル２８０の１次巻線２８１を流れる。
【００４７】
前記トリガコイル２８０の１次巻線２８１に電流が流れると、この１次巻線２８１に電気エネルギが発生し、この電気エネルギは２次巻線２８２に電磁誘導作用により伝達され、２次巻線２８２に電流が流れる。この２次巻線２８２は、上記Ｘｅ管１２の外壁のトリガ電極３０１に接続されており、前記Ｘｅ管１２は、非常に高い抵抗値となっているため、前記トリガコイル２８０の２次巻線２８２に伝達された電気エネルギは電圧に変換され、前記Ｘｅ管１２のトリガ電極３０１には高電圧が印加される。前記Ｘｅ管１２のトリガ電極３０１に高電圧が印加されると、Ｘｅ管内部のキセノンガスが励起され、絶縁抵抗が小さくなる。
【００４８】
続くステップＳ２７で前記制御回路１３０の出力端子１５０、１４０より、前記ステップＳ２４、２５で設定した時間分オン信号を交互に出力する（図１０−ｂ、ｃ参照）。すると、上述したように前記発振トランス２４０の第１の１次巻線２４１にエネルギが発生し、これによって２次巻線２４３にエネルギが誘起され、前記ブリッジダイオード２５０を介して前記Ｘｅ管１２に電流Ｉｘｅが流れる（図１０−ｅ参照）。このＸｅ管１２に電流が流れると、前記Ｘｅ管１２は赤目軽減用の複数回のプリ発光を行う。尚、このときの発光量をｎ２と規定する。
【００４９】
このようにして前記ステップ２３で設定した時間だけ赤目軽減用のプリ発光が行われ、次いで、ステップＳ２８に移行する。
【００５０】
このステップ２８では、前記ステップＳ２３で設定した発光時間に達したか否かを判定する。達していなければ、発光時間に達するまで発光を行い、発光時間に達しておれば、ステップＳ２９に移行して、前記制御回路の出力端子１５０、１４０を共にオフさせて（図１０−ｂ、ｃ参照）発振を停止させ、ステップＳ３０に移行し、前記制御回路１３０の出力端子１７０をオフすることにより（図１０−ｄ参照）、前記発光用スイッチング素子１２０をオフし、発光を停止させ（図８−ｅ参照）、その後リターンする。
【００５１】
その後、前記発光切替用リレースイッチ２６０をオンにして、フォーカルプレーンシャッタが開放している間（図１０−ｆ参照）、本発光を行う。
【００５２】
次に、このストロボ発光回路のメインコンデンサを用いて大容量の発光を行わせる本発光動作を図５、および図１１のタイムチャートを用いて説明する。
図６で説明した充電の完了後、前記図１のレリーズ釦５の押動操作によりレリーズ信号が図示しないＣＰＵに入力されると（図１１−ａ参照）、前記制御回路１３０の出力端子１６０よりオン信号を出力し（図１１−ｂ参照）、発光切替用リレースイッチ２６０がオンすることにより、前記メインコンデンサ１７と上記Ｘｅ管１２は導通状態となる。
【００５３】
この状態で前記出力端子１７０よりオン信号が出力されると（図１１−ｅ参照）、このオン信号を受けて前記発光用スイッチング素子１２０がオンし、前記トリガコンデンサ２９０に蓄積されていた電荷が、発光用スイッチング素子１２０、前記トリガコイル２８０の１次巻線２８１を流れる。
【００５４】
前記トリガコイル２８０の１次巻線２８１に電流が流れると、この１次巻線２８１の電気エネルギがトリガコイル２８０の２次巻線２８２に伝達され、この２次巻線２８２は、上記Ｘｅ管１２の外壁のトリガ電極３０１に接続され、前記Ｘｅ管１２は非常に高い抵抗値となっているため、前記トリガコイル２８０の２次巻線２８２に伝達された電気エネルギは電圧に変換され、前記Ｘｅ管１２の外壁のトリガ電極３０１には高電圧が印加される。
【００５５】
前記Ｘｅ管１２の外壁のトリガ電極３０１に高電圧が印加されると、Ｘｅ管内部のキセノンガスが励起され、絶縁抵抗が小さくなり、前記メインコンデンサ１７に蓄積された電荷が前記Ｘｅ管１２を通り発光用スイッチング素子１２０を介して電流Ｉｘｅとして流れる（図１１−ｆ参照）。このＸｅ管１２に電流が流れると、前記Ｘｅ管１２は発光する。
【００５６】
このようにして、フォーカルプレーンシャッタが開放してから、遮光するまでの間（図１１−ｇ参照）、前記Ｘｅ管１２から大容量の発光を行うことができる。
【００５７】
尚、上記大容量の発光においては、前記メインコンデンサ１７に充電された電荷によって放電させているため、この発光量をｎ´と規定すると、前記電源電池１００と発振トランス２４０を用いたプリ発光時の発光量ｎ１、ｎ２（図８、図１０参照）よりも発光量ｎ´ははるかに大きくなる。
【００５８】
本発光が所定時間に達したら、前記制御回路１３０の出力端子１７０をオフさせ、発光を停止させる（図１１ｅ、ｆ参照）。尚、前記制御回路１３０の出力端子１５０、１４０は、この発光の間はオフさせたままである（図１１−ｃ、ｄ参照）。
【００５９】
このように本発明の第１実施の形態のストロボ装置においては、発光切替用リレースイッチ２６０のオンオフの切替により、ＡＦ測距用の補助光や赤目軽減用光の発光を行う場合は、メインコンデンサ１７を使用せずに電源電池１００の電圧を昇圧するための発振トランスの出力電圧を使用し、撮影時の本発光を行う場合は、メインコンデンサ１７を使用するよう、選択して使用することができるため、本発光に先立ってＡＦ用補助光や赤目軽減光の発光を行った後でも、メインコンデンサの電荷が減らないので、大容量発光を行うことができ、かつＡＦ測距動作に要する時間を短くすることができる。
【００６０】
図１２は、本発明の第２実施の形態を示すストロボ装置を有するカメラを右斜め上方から見た外観斜視図、図１３は、図１２のＸＩＩＩ−ＸＩＩＩ´線に沿う断面図、図１４は、図１２の内部構成の概略を示した透視斜視図である。
【００６１】
この第２実施の形態におけるカメラは、そのカメラ外装筐体、およびカメラの内部構成の概略は、前記図１乃至図４に示した第１実施形態のカメラと殆ど同じであり、カメラ外装筐体内からストロボ用メインコンデンサを取り除き、Ｘｅ管に供給するエネルギを電源電池の電圧を昇圧する発振トランスから直接供給するストロボ回路を配設した点が異なる。よって、この相違点のみを説明し、第１実施形態と同様の構成部材には同じ符号を付し、その説明は省略する。
【００６２】
図１２に示すように、前記カメラ外装筐体１からストロボ用メインコンデンサを取り除くと、上記カメラ外装筐体１の長手方向の長さは“ｌ´”となり、第１実施形態で規定した前記カメラ外装筐体１の長手方向の長さ“ｌ”よりも短くなり、カメラ外装筐体の小型化ができる。
【００６３】
また、図１５は、図１４のストロボ発光部３ａの構成を示した断面図であるが、前記ストロボ用メインコンデンサを取り除くと、発光量に応じて上記Ｘｅ管１２Ａの長手方向の長さは“ｍ´”と規定され、前記図３に示した前記Ｘｅ管１２の長手方向の長さ“ｍ”よりも短くなり、ストロボ発光部３ａの長手方向の長さは短くなる。
【００６４】
図１６は、本発明の第２実施形態におけるストロボ装置の発光回路を示した電気回路図であり、図１７は、図１６に示した発光回路を用いてＡＦ測距用の補助光や赤目軽減用光を発光する場合の発光動作を説明した発光回路の各部の動作のタイミングチャートである。
【００６５】
図１６に示すように、上記発光回路は、電源電池２０と、スイッチング用出力端子ＳＴ１、ＳＴ２、電圧測定端子ＶＢを有する制御回路３０と、ＦＥＴ等からなるスイッチング素子４０、５０と、第１の１次巻線６１、第２の１次巻線６２、１次巻線６１、６２よりも巻回数の多い第１の２次巻線６３、１次巻線６１、６２の巻回数及び第１の２次巻線６３の巻回数より多い巻回数を有するトリガコイルとしての第２の２次巻線６４で構成される発振トランス６０と、発光しやすくするために、表面に透明電極（トリガ電極）７１が塗布されている上記Ｘｅ管１２Ａで構成されている。
【００６６】
前記電源電池２０には、上記第１の１次巻線６１と上記スイッチング素子４０の直列接続回路と、上記第２の１次巻線６２と上記スイッチング素子５０の直列接続回路が並列に接続されている。
【００６７】
また、上記第１の２次巻線６３の両端には、Ｘｅガスが充填してある上記Ｘｅ管１２Ａが並列に接続されており、さらに第２の２次巻線６４の出力端は、前記Ｘｅ管１２Ａの外壁のトリガ電極７１に接続されている。
【００６８】
さらに、上記制御回路３０は、その出力端子ＳＴ１が前記スイッチング素子４０のゲート端子に接続され、また、上記出力端子ＳＴ２が前記スイッチング素子５０のゲート端子に接続されている。
【００６９】
次に、このように構成されたストロボ発光回路によるＡＦ測距用の補助光、並びに赤目軽減用光の発光動作を、図１７のタイムチャートと共に説明する。
まず、前記図１２のレリーズ釦５の押動操作によりレリーズ信号が図示しないＣＰＵに入力されるとカメラは撮影状態となる（図１７−ａ参照）。これと共に図１６に示す前記制御回路３０の出力端子ＳＴ１よりオン信号“Ｈ”（ハイ）が出力され（図１７−ｂ参照）、上記スイッチング素子４０が導通し、前記電源電池２０からの電流が前記第１の１次巻線６１を通してスイッチング素子４０に流れる。
【００７０】
上記トランス６０の１次巻線に電流が流れると、１次巻線に電気エネルギが発生し、この電気エネルギは電磁誘導作用により２次巻線６３に伝達される。
【００７１】
２次巻線６３に伝達された磁気エネルギは、電気エネルギに変換され、この２次巻線６３から前記第２の２次巻線６４に向かって電流が流れる。このとき、上記第１の２次巻線６３の下方端６３ａ（図１６において）の電圧が一番低くなり、上記第２の２次巻線６４の上方端６４ｂ（図１６において）の電圧が一番高い状態となっている。尚、この状態では、前記Ｘｅ管１２Ａには電流が流れていないので抵抗値は無限大となり、２次巻線６３の出力側は高インピーダンス状態となっている。
【００７２】
また、この状態で２次巻線側には、１次巻線６１に流れた電流とは反対方向に電気エネルギが発生し、電圧に変換されるため、前記第１の２次巻線の上方端６３ｂ（図１６において）に高電圧が発生し、さらに前記第２の２次巻線の上方端６４ｂ（図１６において）には前記第１の２次巻線の上方端６３ｂに発生した電圧よりもさらに高い電圧が発生する。よって、上記Ｘｅ管１２Ａの外壁のトリガ電極７１に高電圧が印加され、前記Ｘｅ管１２Ａを励起するようにする（図１７−ｄ参照）。
【００７３】
ここで前記スイッチング素子４０のみでは、前記Ｘｅ管１２Ａは励起できないため、前記出力端子ＳＴ１からオフ信号“Ｌ”（ロー）を出力（図１７−ｂ参照）すると同時に、上記出力端子ＳＴ２にオン信号“Ｈ”を出力する（図１７−ｃ参照）。すると、スイッチング素子４０、並びに第１の１次巻線６１に流れていた電流はオフし、上記スイッチング素子５０が導通するので、前記電池２０からの電流が前記第１の１次巻線６２を通じてスイッチング素子５０に流れる。
【００７４】
上記１次巻線６２に電流が流れると、１次巻線に電気エネルギが発生し、この電気エネルギは電磁誘導作用によって、２次巻線６４に伝達される。
【００７５】
２次巻線６４に伝達された磁気エネルギは、電気エネルギに変換され、この２次巻線６４から前記第２の２次巻線６３に向かって電流が流れる。ここで、前記第２の１次巻線６２に流れる電流は、上述した前記第１の１次巻線６１に流れた電流の向きとは反対方向の電流が流れるため、２次巻線６３，６４に発生するエネルギも、上記出力端子ＳＴ１からオン信号を出力させたときとは反対方向のエネルギが発生する。すると、上記Ｘｅ管１２Ａの外壁のトリガ電極７１に前記出力端子ＳＴ１からオン信号を出力させたときとは符号が逆の高電圧が印加される（図１７−ｄ参照）。
【００７６】
このように、上記制御回路３０の出力端子ＳＴ１、ＳＴ２から任意の回数交互にオン信号“Ｈ”を出力することにより（図１７−ｂ、ｃ参照）、前記Ｘｅ管１２ＡのＸｅガスは励起状態となり、抵抗値が減少する。抵抗値が減少すると、前記第１の２次巻線６３の両端の抵抗値が小さくなり、前記Ｘｅ管１２Ａに電流Ｉｘｅ（図１７−ｅ参照）を流そうとするようになる。尚、このように、上記制御回路３０の出力端子ＳＴ１、ＳＴ２が交互にオンオフ信号の出力を繰り返しているため、前記Ｘｅ管１２Ａに流れる電流Ｉｘｅも前記出力端子のオンオフ信号の出力毎に電流の流れる方向が反転する（図１７−ｅ参照）。
【００７７】
そして、前記Ｘｅ管１２Ａの抵抗値が低下するにつれ、上記第１の２次巻線６３の両端から電流Ｉｘｅが流れ、前記Ｘｅ管１２Ａは発光する。前記Ｘｅ管１２Ａが発光すると、前記トランス６０の２次巻線側のインピーダンスも低下するため、前記トランス６０の１次巻線側に流れる電流が急増する。よって、前記１次巻線の電流が増加すると、前記電源電池２０の電圧が変動する。この電圧を前記制御回路３０のＶＢ測定端子がモニタして発光を確認し（図１７−ｇ参照）、前記電池２０の電圧に応じて、前記出力端子ＳＴ１、ＳＴ２のオンオフ信号の出力周期を徐々に変化させる（図１７−ｂ、ｃ参照）。
【００７８】
このようにストロボ発光回路を制御すると、撮影に先立って測距用のＡＦ補助光や赤目軽減用光に用いることができる。尚、前記Ｘｅ管１２Ａの発光が開始されて、前記制御回路３０に、不図示の制御装置からの発光停止信号が発信されると、前記制御回路３０の前記ＳＴ１、ＳＴ２を共にオフさせ（図１７−ｂ、ｃ参照）発光は停止する（図１７−ｅ参照）。
【００７９】
尚、上記第２実施形態においては、ＡＦ測距用の補助光の発光は、１回と規定したが、これに限らず、上記第１実施形態に示したように、ＡＦ測距が成功するまで何回でも繰り返し発光しても良いことは勿論である。
【００８０】
また、この第２実施形態における発光形態は、発光量は小さいが一定秒時の複数回の発光を持続できるフラット発光となるので、フォーカルプレーンシャッタを使用するカメラの場合、ストロボ同調時より速いシャッタ秒時のストロボ撮影時のストロボ光として使用することができる。
【００８１】
このように本発明の第２実施の形態を示すカメラのためのストロボ装置においては、Ｘｅ管の発光にコンデンサを使用しないため、カメラ外装筐体を小さく形成することができ、また、低コスト化を図ることができる。
【００８２】
また、メインコンデンサを使用せずに、電池から直接発光することのできるストロボ装置をも提供することができる。
【００８３】
【発明の効果】
以上説明したように本発明によれば、放電管に供給する発光供給源を選択することにより、ＡＦ測距用の補助光や赤目軽減用発光の発光後でも、撮影時の本発光の光量が低下せず、かつＡＦ測距に要する時間を短くすることができるカメラのためのストロボ装置を提供できる。
【図面の簡単な説明】
【図１】本発明の第１実施の形態を示すストロボ装置を有するカメラを右斜め上方から見た外観斜視図、
【図２】図１中のＩＩ−ＩＩ´線に沿う断面図、
【図３】図１のカメラの内部構成の概略を示した透視斜視図、
【図４】図３のカメラにおけるストロボ発光部の構造を示した断面図、
【図５】図１のカメラのストロボ装置の発光回路を示した電気回路図、
【図６】図５の発光回路におけるメインコンデンサへの充電時の各部動作出力波形を示すタイミングチャート、
【図７】図５の発光回路を用いてＡＦ測距用の補助光を発光する場合の発光動作を説明したフローチャート、
【図８】ＡＦ測距用の補助光を発光する場合の発光回路における各部の動作出力波形を示すタイミングチャート、
【図９】図５の発光回路を用いて赤目軽減光を発光する場合の発光動作を説明したフローチャート、
【図１０】赤目軽減光を発光する場合の発光回路の動作出力波形を示すタイミングチャート、
【図１１】図５に示した発光回路における本発光動作を説明したタイミングチャート、
【図１２】本発明の第２実施の形態を示すストロボ装置を有するカメラを右斜め上方から見た外観斜視図、
【図１３】図１２中のＸＩＩＩ−ＸＩＩＩ´線に沿う断面図、
【図１４】図１２のカメラの内部構成の概略を示した透視斜視図、
【図１５】図１２のカメラにおけるストロボ発光部の構造を示した断面図、
【図１６】図１２のカメラのストロボ装置の発光回路を示した電気回路図、
【図１７】図１６に示した発光回路のＡＦ測距用の補助光、または赤目軽減光の発光動作における各部の出力波形を示すタイミングチャート。
【符号の説明】
２０、１００…電池（第２の発光手段）
３０、１３０…制御回路（制御手段）
６０、２４０…発振トランス
１２、１２Ａ…発光放電管（Ｘｅ管）
２７０…メインコンデンサ（第１の発光手段）
【図１】
2004045863.tif 000003
【図２】
2004045863.tif 000004
【図３】
2004045863.tif 000005
【図４】
2004045863.tif 000006
【図５】
2004045863.tif 000007
【図６】
2004045863.tif 000008
【図７】
2004045863.tif 000009
【図８】
2004045863.tif 000010
【図９】
2004045863.tif 000011
【図１０】
2004045863.tif 000012
【図１１】
2004045863.tif 000013
【図１２】
2004045863.tif 000014
【図１３】
2004045863.tif 000015
【図１４】
2004045863.tif 000016
【図１５】
2004045863.tif 000017
【図１６】
2004045863.tif 000018
【図１７】
2004045863.tif 000019